(57)【要約】      （修正有）【課題】尺八の音色をマイクで電気信号に変換し、増幅させ、尺八の大音量で澄んだ音色を実現するマイク付尺八及び尺八音響システムを提供する。【解決手段】尺八２と、前記尺八２の下部外側に固定したマイク７と、からなるマイク付尺八１であって、尺八２と、尺八２の側面に接続され音を共鳴させるとともに増幅させる内部空洞の筒である共鳴管５と、前記共鳴管５下部内側に固定したマイク７と、からなることを特徴とする。さらに、前記マイク７と、スピーカー８を接続したことを特徴とする尺八音響システム１０とした。【選択図】図１
0003197607.tif 000002
【実用新案登録請求の範囲】
【請求項１】
尺八と、前記尺八の下部外側に固定したマイクと、からなることを特徴とするマイク付尺八。
【請求項２】
尺八と、前記尺八の側面に接続され前記尺八の音を共鳴させるとともに増幅させる内部空洞の筒である共鳴管と、前記共鳴管下部内側に固定したマイクと、からなることを特徴とするマイク付尺八。
【請求項３】
前記共鳴管内部に、２辺が共鳴管内部に接触し、尺八の音色を共鳴させるとともに増幅させる振動ブレードを固定したことを特徴とする請求項１又は請求項２に記載のマイク付尺八。
【請求項４】
請求項１〜請求項３のいずれか１項に記載のマイク付尺八のマイクと、スピーカーを接続したことを特徴とする尺八音響システム。
【考案の詳細な説明】
【技術分野】
【０００１】
本考案は、尺八の音色をマイクで電気信号に変換し、増幅させ、尺八の大音量で澄んだ音色を実現するマイク付尺八に関する。さらに、マイク付尺八とスピーカーを接続した尺八音響システムに関する。
【背景技術】
【０００２】
尺八は、唄口の切り込みに当てる角度、方向、量を調節しながら、尺八側面に穿設された５つの穴（指穴）の開閉を指で操作し、１２音階の音を奏でる。尺八の音色は癒しの音である。
【０００３】
尺八の音色は、狩猟民族のような西洋の飛んだり跳ねたりのリズム文化ではなく、農作業時の足をすりながら移動する農耕民族のすり足文化の音で、音から音へと間合いの拍子で日本古来の幽玄なる音色の世界を奏でる。
【０００４】
また、尺八の演奏は、息を長く吐き続けることで、座禅を組んで瞑想した時のようになり、脳を休ませ、とらえどころのない不安のようなストレスから開放され自律神経が安定することは周知の通りで、健康維持に役立つ。そのようなことから、幽玄なる音色を奏でる尺八の演奏に憧れる人々は、沢山いる。
【０００５】
健康を考えると、命の基の呼吸がまず先に頭に浮かび、腹式呼吸をして、代謝を高め、癒しの音色で、心の健康を考えようと、尺八吹奏に関心を抱く人々は多く、時代背景的にも、健康は、国や他人任せでは守れなくなってきているのも事実である。
【０００６】
しかし、初心者が尺八を手にしたとき、全く音を奏でることができず、無理だと諦める者が多いことが知られており、残念なことであった。
【０００７】
尺八は二千年以上の歴史があり、古来より七つの節を持った真竹で製作し、この竹尺八にも一長一短がある。近年化学技術の進歩発展により、プラスチック成型、木製の尺八模倣品が作られているが、それぞれ一長一短がある。
【０００８】
（竹製尺八）
自然素材である竹は、曲がり具合や、内径、肉質の厚み、繊維の密度など一本一本違うため、これを正しい音律で、幽玄な音色を醸成できる楽器（尺八）に仕立て上げるのには、長い経験と技術、気力が必要となる。
【０００９】
竹製尺八は、七つの節をくりぬき、息の力だけで、真竹管内の空気分子を振動させ、しかも重量感のある音色を作れる管内の仕立は、内径の大きさ、息のスムーズな流れ、水分を多く含んだ息による耐久性などが考慮されている。真竹の節を抜いて凹凸荒れた管内を、石膏などの硬質なもので塗り固め、盛り上げたり削ったり何度も何度も繰り返しながら研ぎ出し、内面を整えて調律する。表面には漆などを塗って、水分に対し耐久性を持たせている。
【００１０】
この様な工程を経ることで、真竹管内の内表面は硬質に、それを包む中間部は、竹繊維が通った、空気分子を多く含むコルク状、またその外側の尺八表面は硬い外皮という構造になり、共鳴しやすいサンドイッチ構造の円筒となっている。
【００１１】
しかしながらこの構造が竹製尺八の欠点にもなる。内壁、中間部のコルク状、表面の外皮、この三層構造で、中間部のコルク状は空気分子を多く含むため、環境温度の上下による湿度変化で、常に膨張したり、収縮したりする。この構造材質の収縮率の違いで、急激な温度変化に対応できなくなり、尺八が裂けてしまう事があり、尺八の管理には気を使わねばならなかった。
【００１２】
他方、高く軽いシャープな音色を出す、真竹と比べると細く比重の軽い、篠竹を使う篠笛などがある。一方、尺八は重厚な音色を醸し出すため、比重の重い真竹の根の部分、石膏などの硬質部分の割合を多くする。
【００１３】
この事が、力強い息を丹田から押し出す技術のない初心者には、尺八管を思うように振動させることができなく、扱いにくいものにしている。
【００１４】
（プラスチック及び木製尺八）
プラスチック尺八及び木製尺八は、律が安定した均一な仕上がり、工業製品として大量に生産可能で、ランニングコストが下がり、人々に喜ばれる。しかし、竹製を模して型を作っての製作なので、まがい物の感がぬぐえなく、プラスチック成形品も、堅木で作る木製品も、同様に肉厚で、比重が重くなり、竹製と同様初心者には扱いにくいものが殆どである。
【００１５】
そして、竹製の尺八のように、筒が前述の三層構造になっていなく均一であるので、期待した広がりのある、幽玄な音色を出すことはできない。
【００１６】
（塩化ビニル管尺八）
他方、尺八演奏で一番大事なのは唇の形である。次に息を唄口の切り込みに吹き当てる角度、方向とその量である。音階を奏でる指使いは音が発せられるようになってから十分学ぶことができるし、継続して練習することで上達もする。
【００１７】
そこで、考案者は、はじめての尺八の音出しを、スムーズに行えるように、音出しだけに専念できる、塩化ビニル製の練習用尺八（特許文献１）を開発した。
【００１８】
また、古来よりの難解な尺八楽譜を、解りやすい数字譜に置き換え、ハードルを下げ、手軽に楽しく健康増進のために活用できる、尺八用音階早見表（特許文献２）、尺八用楽譜（特許文献３）を開発し、尺八吹奏の道を容易にした。
【００１９】
また、練習用尺八（特許文献１）に合わせて、尺八のように音階を奏でることができる、すなわち音階に対応した穴が穿設された塩化ビニル製尺八も開発している。
【００２０】
塩化ビニルの材料はどこでも簡単に入手でき、また特殊な機械設備がなくても、わずかな工具で、手軽に、律の安定した尺八を超安価で作ることができる。しかも管は硬質で肉厚は３ミリ程度なので、初心者の出す弱い息でも音出しが可能になる。
【００２１】
しかしながら、長所は欠点にもなり、吹手が経験を積んで、呼吸力が備わってくると、管厚が３ミリ程度の普通塩化ビニル管では、その振動を受け止められなくなり、音がひっくり返ってしまい（音割れ）、奏でるような奏法しかできない。ソプラノリコーダの様な吹き方となる。
【００２２】
そこで、考案者は、塩化ビニル管製の尺八の難点を克服すべき、弱い息から、お腹の底からの強い息にまで対応でき、竹尺八にも勝るとも劣らない、重量感があって広がりの感じられる、癒しの音色を出せ、しかも超安価にできる特許文献４の共鳴管付尺八を開発した。
【００２３】
特許文献の共鳴管付尺八は、尺八と、前記尺八の側面に接続され前記尺八の音を共鳴させるとともに増幅させる内部空洞の筒である共鳴管と、からなることを特徴とする。その結果、主管に共鳴管を密着させ、主管が醸し出す、幽玄な癒しの音色の振動音を共鳴管に共振させ、その音色に幅と重厚さを醸成することができるようになった。息の弱いわずかな主管の振動でも共鳴する事で大きな音が出る。強い息に対しても、振動する体積（重量）が増していることから、音割れすることなく対応できるのである。塩化ビニル管も重量のある特殊な管（ライナー入り）を採用すると、さらに効果的であった。
【００２４】
しかしながら、体育館、演奏ホールなどで尺八を独演する場合、人々の会話、壁などに打ち消され、十分な音量で奏でることができないことがある。そこで、マイクによる集音、スピーカーから音色を発生させる方法が考えられる。ところが、一般のホールでは、会話、ボーカル用マイクを使用し、空気振動を介して集音するため、十分に尺八の音色を集音することが困難である。
【００２５】
加えて、尺八は、唄口に息を吹きかけ音を奏でるため、マイクの位置が制限される。マイクを尺八の正面側に配置した場合には、ゴーゴーと風の音（風切音）がしてしまう。他方、背面側中部では十分な振動量がなく、十分に集音できない。さらに、正面、背面、或いは左右側面位置にマイクを配置すると、尺八は上下左右に動かしながら音を奏でるため、その動作に邪魔になってしまう。
【００２６】
さらに、マイクを尺八の下端方向に配置した場合にも、風切音を集音してしまい、澄んだ尺八の音色にならない。
【先行技術文献】
【特許文献】
【００２７】
【特許文献１】実用新案登録第３１７５９１６号公報（練習用尺八）
【特許文献２】実用新案登録第３１８５０５３号公報（尺八用音階早見表）
【特許文献３】実用新案登録第３１８５７６８号公報（尺八用楽譜）
【特許文献４】実用新案登録第３１８５７６８号公報（共鳴管付尺八）
【考案の概要】
【考案が解決しようとする課題】
【００２８】
そこで、本考案は、尺八の音色をマイクで電気信号に変換し、増幅させ、尺八の大音量で澄んだ音色を実現するマイク付尺八及び尺八音響システムを提供する。
【課題を解決するための手段】
【００２９】
本考案は、上記の課題を解決するために、
（１）
尺八と、前記尺八の下部外側に固定したマイクと、からなることを特徴とするマイク付尺八。
（２）
尺八と、前記尺八の側面に接続され前記尺八の音を共鳴させるとともに増幅させる内部空洞の筒である共鳴管と、前記共鳴管下部内側に固定したマイクと、からなることを特徴とするマイク付尺八。
（３）
前記共鳴管内部に、２辺が共鳴管内部に接触し、尺八の音色を共鳴させるとともに増幅させる振動ブレードを固定したことを特徴とする（１）又は（２）に記載のマイク付尺八。
（４）
（１）〜（３）のいずれかに記載のマイク付尺八のマイクと、スピーカーを接続したことを特徴とする尺八音響システム。
とした。
【考案の効果】
【００３０】
本考案は、マイクの固定位置を特定する上記構成であるので、風切音がなく、演奏の邪魔にならず、尺八の音色を集音でき、さらに共鳴管、加えて振動ブレードを備えれば、より効率的に尺八の音色を集音できる。その結果、ホール等の大きな演奏会場であっても、演奏会場のマイク性能に頼らず、尺八の大音量で澄んだ音色を実現でき、尺八の独奏を可能にする。
【図面の簡単な説明】
【００３１】
【図１】本考案であるマイク付尺八及び尺八音響システムの一例の正面模式図である。
【図２】本考案であるマイク付尺八の一例の背面図である。
【図３】本考案であるマイク付尺八の一例の左側面図である。
【図４】本考案であるマイク付尺八の一例の平面図である。
【図５】本考案であるマイク付尺八の一例の底面図である。
【図６】図１のＡ−Ａ‘（Ａ）、Ｂ−Ｂ’（Ｂ）、Ｃ−Ｃ‘（Ｃ）断面図模式図である。
【図７】本考案であるマイク付尺八及び尺八音響システムの他の例の正面模式図である。
【図８】本考案であるマイク付尺八の他の例の下部部分断面模式図である。
【図９】振動ブレードの他の実施形態の側面図である。
【考案を実施するための形態】
【００３２】
以下、添付の図面を参照し、本考案の実施の形態について詳細に説明する。なお、本考案は、下記の実施例に限定されるものではない。
【実施例１】
【００３３】
図１から図６に示すように、本考案であるマイク付尺八１は、尺八２と、共鳴管５、マイク７とからなる。
【００３４】
さらに、マイク付尺八１に、マイク７から送信される尺八２の音色に対応する電気信号７ａを受けて、尺八２の音を発生させるスピーカー８を備えることで、尺八音響システム１０となる。スピーカー８は、アンプ９で増幅した電気信号７ａを受けることもできる。電気信号７ａは、有線或いは無線でスピーカー８に入力（接続）される。
【００３５】
尺八２は、主管３と、口部４とからなり、貫通孔３ｉを備える。
【００３６】
主管３は、音階を決める穴３ａ、３ｂ、３ｃ、３ｄが正面に４つ、背面に穴３ｅが１つ穿設され、両端が開口した樹脂製、例えば、塩化ビニル製の管である。本考案では、従来の竹製、木製、或いは塩化ビニル以外のプラスチック製であってもよい。
【００３７】
主管３は、さらには、温度等による伸縮に耐性の強い、ライナー３ｈでライニングされた水道管（ライニング管）が好ましい。ここでは主管３内部に埋没するライナー３ｈを例示したが、主管３内部に硬質樹脂をコーティングした塩化ビニルライニング管であってもよい。ライニング管は、通常の塩化ビニルより重さ、体積が増し、強い息の吹きかけ、振動をも受け止め、音割れを防止することができる。主管３の長さは自由であり、短いと高音で長いと低音になる。特に、主管３が短い場合に、音割れが頻発する。後述の口部４、副管５ａにおいても同じである。
【００３８】
口部４は、主管３の一方の端部に嵌められた樹脂製、例えば、塩化ビニル製の管である。口部４の外径は、主管３の外径よりも大きく、また口部４の内径は主管３の外径とほぼ等しく、口部４の上端は主管３の上端まで達している。そして、主管３と口部４とは接着されている。
【００３９】
その上で、主管３と口部４が嵌合した部分の一側面は斜めに削られた傾斜部３ｆ、４ｂとし、傾斜部３ｆの端部の中央をさらに削り込まれ、正面半楕円形状の切欠き３ｇを備えて唄口４ａとし、反一側面には顎に当てる当接部４ｃとした。当接部４ｃの角は、図３等に示すように、緩やかに丸みを帯びた状態に加工され、顎を当てた際に痛みを感じることがない。
【００４０】
共鳴管５は、副管５ａと、振動ブレード５ｂからなる。本考案では共鳴管５、振動ブレード５ｂを備えなくてもよい。
【００４１】
副管５ａは、主管３と同様に内部にライナー５ｃを備える空洞５ｄの筒で、主管３よりやや短く、底部は同一位置にあり、主管３の側面に、接着剤その他連結具（例えば、金属線による結束、ビス６ａによるネジ留）で接続（密着部６）され、尺八２の音で共鳴する。
【００４２】
振動ブレード５ｂは、必須ではないが、２辺が副管５ａの内部に接触し、音色を共鳴させるとともに増幅させる。振動ブレード５ｂを設けることで、尺八２の音色が増幅され、マイク７で効果的に尺八２の音色を集音できる。振動ブレード５ｂの固定方法としては、副管５ａの側面からビス６ａを主管３に通し、ネジ留等が例示できる。長さは副管５ａと同じ長さにすると最大の共鳴を得られる。
【００４３】
振動ブレード５ｂとしては、例えば木、プラスチック、金属などが例示できる。選択した振動ブレード５ｂの素材により、音色が変わる。軟らかい素材の振動ブレード５ｂ、例えば木であれば軟らかい音色になり、硬い素材の振動ブレード５ｂ、例えばアルミニウムであれば、高音の音色になる。
【００４４】
このようにしてなる共鳴管５は、尺八２の音を共鳴させるとともに増幅させ、音割れを防止するとともに、スピーカー８から大音量で澄んだ尺八２の音色を発生させることができだ、大ホールでの尺八２の独奏も可能な音量とすることができる。
【００４５】
マイク７としては、市販のムービング・コイル型、リボン型、コンデンサ型、カーボンマイク、圧電マイク、レーザーマイクなどが例示できる。有線、無線で尺八２の音色に相当する振動を電気信号７ａに変換し、スピーカー８から大音量で澄んだ音色を発生させる。マイクには、集音量を調節できるボリュームつまみ７ｂを備えると手元で、音量を操作でき好適である。
【００４６】
マイク７は、尺八２だけの場合には尺八２の下部外側に固定し、共鳴管５を備える場合には共鳴管５の下部内側に固定する。マイク７をそれら位置に固定することで、振動が最大で、かつ息の風切音を集音することなく、指の動作、把持にも邪魔にならない。
【００４７】
そして、マイク付尺八１は、一般的な竹製尺八と同様に演奏することができる。また、マイク付尺八１は塗装してもよい。さらに、主管３と共鳴管５、さらには口部４をも一体成形してもよい。
【００４８】
このようにしてなるマイク付尺八１は、手に収まり、共鳴管５及びマイク７は指動にも邪魔にならず、強い息にも、音割れすることなく、幽玄な癒しの音色の尺八２の振動音を共鳴管５に共振させ、さらに振動ブレード５ｂで増幅させた上で、マイク７で電気信号７ａに返還し、スピーカー８から大音量で尺八２の音を発生させる。その音色に幅と重厚さを醸成することができ、ホールでの演奏、独奏をも可能にする。単に、尺八２の周辺からマイクで集音した場合よりも大音量になる上、息による風切音も発生しない。
【００４９】
マイク付尺八１は、市販の塩化ビニル管を使用することができるので、極めて低廉で、加工も容易なため、簡単に作ることができる。もちろん、竹製、木製、塩化ビニル以外のプラスチック製尺八でも、同様にマイク７を固定することで、スピーカー８から大音量で澄んだ尺八２の音を発生させることができる。
【実施例２】
【００５０】
図７に示すように、本考案であるマイク付尺八１ａ及び尺八音響システム１０ａは、実施例１において、主管３を上管３ｋと、下管３ｍに２分割した点と、主管と副管５ａを連結するため、上ジョイント１１と下ジョイント１２を設けた点が異なり、他の構成は実施例１に準じる。上管３ｋと下管３ｍの連結は、上管３ｋの他より細い嵌入部３ｎを下管３ｍの受け穴３ｐに嵌着する方式が例示できる。また、上管３ｋに受け穴を、下管３ｍに上管３ｋの受け穴に嵌入する嵌入部を設けてもよい。
【００５１】
唄口４ａの修理は困難なため、唄口４ａの劣化、破損した場合であっても、新調することなく、主管を上下管３ｋ、３ｍに分割することで、他の部分は壊れ、劣化しづらいことから、口部４を交換することができる。
【００５２】
上ジョイント１１は、主管と副管５ａを挿通させ、連結するほか、上管３ｋ、下管３ｍの連結部を保護するとともに、その表面に装飾を施すことで、高級感を醸し出すことができる。また、上ジョイント１１の副管５ａ側は、音を放出させる放音孔１１ａを設けると、音の響きがよくなる。
【００５３】
下ジョイント１２は、主管と副管５ａを挿通させ、連結するほか、落下等による端部の破損を防止し、マイク装置を格納しやすくするとともに、その表面に装飾を施すことで、高級感を醸し出すことができる。
【００５４】
図８に、マイク付尺八１ａの下部断面模式図を示した。ここでは、マイク７は、コンデンサーマイクの例を示す。下ジョイント１２は、上部に主管の下管３ｍ、副管５ａを嵌入させ、下部には穴１２ｃ、１２ｄが穿設されている。また、下管３ｍを係止する係止突起１２ａ、１２ｂが水平方向に突出する。副管５ａは、下管３ｍとビス６ａで連結されているため、係止突起１２ａ、１２ｂで下管３ｍが係止されることで、下ジョイント１２は、主管、副管５ａの下部に位置固定される。
【００５５】
下ジョイント１２の副管５ａ側の穴１２ｄ内部には、マイク７を固定する固定部材１３が固定されている。固定部材１３には、尺八の音を取り込む取口１３ａが副管５ａ側に貫通して穿設され、その取口１３ａに連通して、マイク７が固定部材１３内に固定される。その故、振動ブレード５ｂは、副管５ａの下端より少し短めにして、マイク７収納スペースを確保する。
【００５６】
マイク７は、抵抗可変で、音量を調節するボリュームつまみ７ｂにリード線７ｅを介して接続し、ボリュームつまみ７ｂは、リード線７ｆを介して、穴１２ｄ内に固定されたジャック受け７ｇに接続する。ジャック受け７ｇには、スピーカー８に接続するジャック７ｃが嵌着する。
【００５７】
マイク７が、コンデンサーマイクの場合には、電源が必要になるため、電池を内蔵するコントロールボックス７ｄが、ジャック７ｃとアンプ９との間に備えられる。マイク７が圧電マイクの場合には、電源を必要としないため、コントロールボックス７ｄは不要である。なお、圧電マイクの場合には、固定部材１３を設けることなく、副管５ａの内部に貼付すればよい。
【００５８】
このように、マイク７を副管５ａの内部に配置することで、尺八の音色以外の音を拾うことが低減する。その結果、ハウリング現象も抑制される。
【００５９】
図９に、振動ブレードの他の実施形態を示した。図８（Ａ）は側面に魚の鱗状彫り５ｆを設けた振動ブレード５ｅであり、図８（Ｂ）は側面を貫通する、蜂の巣状の穴であるハニカム孔５ｈを穿設した振動ブレード５ｇである。
【００６０】
振動ブレードの側面に、それら構造を設けることで、二次の共鳴、三次の共鳴を発生させ、素材の違いとことなる、まろやかな音色を醸成することができるようになる。
【符号の説明】
【００６１】
１      マイク付尺八
１ａ    マイク付尺八
２      尺八
３      主管
３ａ    穴
３ｂ    穴
３ｃ    穴
３ｄ    穴
３ｅ    穴
３ｆ    傾斜部
３ｇ    切欠き
３ｈ    ライナー
３ｉ    貫通孔
３ｋ    上管
３ｍ    下管
３ｎ    嵌入部
３ｐ    受け穴
４      口部
４ａ    唄口
４ｂ    傾斜部
４ｃ    当接部
５      共鳴管
５ａ    副管
５ｂ    振動ブレード
５ｃ    ライナー
５ｄ    空洞
５ｅ    振動ブレード
５ｆ    鱗状彫り
５ｇ    振動ブレード
５ｈ    ハニカム孔
６      密着部
７      マイク
７ａ    電気信号
７ｂ    ボリュームつまみ
７ｃ    ジャック
７ｄ    コントロールボックス
７ｅ    リード線
７ｆ    リード線
７ｇ    ジャック受け
８      スピーカー
９      アンプ
１０    尺八音響システム
１０ａ  尺八音響システム
１１    上ジョイント
１１ａ  放音孔
１２    下ジョイント
１２ａ  係止突起
１２ｂ  係止突起
１２ｃ  穴
１２ｄ  穴
１３    固定部材
１３ａ  取口
【図１】
0003197607.tif 000003
【図２】
0003197607.tif 000004
【図３】
0003197607.tif 000005
【図４】
0003197607.tif 000006
【図５】
0003197607.tif 000007
【図６】
0003197607.tif 000008
【図７】
0003197607.tif 000009
【図８】
0003197607.tif 000010
【図９】
0003197607.tif 000011
【手続補正書】
【提出日】平成27年3月18日(2015.3.18)
【手続補正１】
【補正対象書類名】実用新案登録請求の範囲
【補正対象項目名】全文
【補正方法】変更
【補正の内容】
【実用新案登録請求の範囲】
【請求項１】
尺八と、前記尺八の下部外側に固定したマイクと、からなることを特徴とするマイク付尺八。
【請求項２】
尺八と、前記尺八の側面に接続され前記尺八の音を共鳴させるとともに増幅させる内部空洞の筒である共鳴管と、前記共鳴管下部内側に固定したマイクと、からなることを特徴とするマイク付尺八。
【請求項３】
前記共鳴管内部に、２辺が共鳴管内部に接触し、尺八の音色を共鳴させるとともに増幅させる振動ブレードを固定したことを特徴とする請求項２に記載のマイク付尺八。
【請求項４】
請求項１〜請求項３のいずれか１項に記載のマイク付尺八のマイクと、スピーカーを接続したことを特徴とする尺八音響システム。
【手続補正２】
【補正対象書類名】明細書
【補正対象項目名】００２９
【補正方法】変更
【補正の内容】
【００２９】
本考案は、上記の課題を解決するために、
（１）
尺八と、前記尺八の下部外側に固定したマイクと、からなることを特徴とするマイク付尺八。
（２）
尺八と、前記尺八の側面に接続され前記尺八の音を共鳴させるとともに増幅させる内部空洞の筒である共鳴管と、前記共鳴管下部内側に固定したマイクと、からなることを特徴とするマイク付尺八。
（３）
前記共鳴管内部に、２辺が共鳴管内部に接触し、尺八の音色を共鳴させるとともに増幅させる振動ブレードを固定したことを特徴とする（２）に記載のマイク付尺八。
（４）
（１）〜（３）のいずれかに記載のマイク付尺八のマイクと、スピーカーを接続したことを特徴とする尺八音響システム。
とした。